(57)【要約】【課題】組立ての容易な遊技盤ユニットを提供することである。【解決手段】遊技盤１０の背面下部に台座４１を設け、遊技盤１０の背面に固定される裏ユニット３０の裏カバー３１の一縁部に突出部４０を設ける。台座４１に傾斜状の差込み孔４４を形成し、その差込み孔４４に突出部４０を差し込んで裏カバー３１を遊技盤１０との間に間隔があく状態に保持し、その保持状態において、遊技盤１０の背面に接続されたハーネス２６を裏カバー３１の背面側に引き出す。ハーネス２６の引き出し後、裏ユニット３０の移動により、突出部４０を差込み孔４４から引き抜き、その裏ユニット３０を遊技盤１０の背面に重ね合わせてねじ止めする。【選択図】図４
2010240018.tif 000002
【特許請求の範囲】
【請求項１】
遊技盤と、その遊技盤の背面に取付けられる裏ユニットからなり、前記裏ユニットが、前記遊技盤の背面に着脱自在に取付けられる裏カバーと、その裏カバーに支持された遊技部品を有してなる遊技盤ユニットにおいて、
前記裏カバーの一縁部に突出部を設け、前記遊技盤の背面には前記突出部に対向して台座を形成し、その台座に、前記突出部が抜き差し自在とされ、差し込み状態において裏カバーを遊技盤の背面と間隔があく状態に保持するソケット部を設けたことを特徴とする遊技盤ユニット。
【請求項２】
前記台座の突出部と対向する面に、その突出部が嵌合可能な嵌合凹部を設け、その嵌合凹部の閉塞端面を遊技盤に裏カバーを固定する際の突出部の位置決め面とした請求項１に記載の遊技盤ユニット。
【請求項３】
前記ソケット部が、前記裏カバーを傾斜状態に保持する傾斜状の差込み孔からなる請求項１又は２に記載の遊技盤ユニット。
【発明の詳細な説明】
【技術分野】
【０００１】
この発明は、パチンコ機の遊技盤ユニットに関する。
【背景技術】
【０００２】
パチンコ機においては、外枠の一側部により中枠の一側部を軸支して開閉可能に支持し、その中枠の前面を覆うガラス枠等の前面枠の一側部を上記中枠で軸支して開閉可能とし、上記中枠に遊技盤ユニットを着脱自在に取り付けるようにしている。
【０００３】
遊技盤ユニットは、遊技盤と、その遊技盤の背面に取付けられる裏ユニットからなる。裏ユニットは、遊技盤の背面に着脱自在に取付けられる裏カバーを有し、その裏カバーに液晶表示装置等の図柄表示装置を取付け、その図柄表示装置の背面に各種の制御用基板を取付けている。
【０００４】
ここで、遊技盤は、遊技板を有し、その遊技板の前面にガイドレールを取付け、そのガイドレールの内側に形成された遊技領域に遊技球の落下方向を分散、調整するための多数の釘や風車、始動入賞口、特別可変入賞装置等の遊技部品を設けている。
【０００５】
また、遊技板に、装飾用のランプや、大当たりの前兆演出を行なう役物機構を取付けて、大当たりの期待感を持たせるようにしている。役物機構は、ソレノイドやモータ等のアクチュエータを駆動源として、演出部材を図柄表示装置に向けて移動させるようにしている。
【０００６】
上記のような図柄表示装置やランプ、役物機構等の複数の遊技部品の遊技制御のために、各種の制御用基板が必要とされる。例えば、図柄表示装置の図柄を変動表示させる図柄制御用基板、その図柄制御用基板に制御信号を出力する副制御基板、ランプの点滅を制御するランプ制御用基板、サウンドの出力を制御するサウンド制御用基板、役物機構のアクチュエータを制御する役物制御用基板等の各種の制御用基板が必要となり、その各種の制御用基板をコンパクトに配置するため、これらの制御用基板を図柄表示装置の背面や裏カバーに取り付けるようにしている。
【０００７】
上記の構成からなる遊技盤ユニットは、パチンコ機の中枠にセットされる前段において組立て状態とされる。その組立に際しては、ランプや役物機構のアクチュエータ等に接続されたハーネスを裏カバーの背面側に引き出した後、図柄表示装置や各種の制御用基板を支持する裏カバーを遊技盤の遊技板の背面に重ねあわせて、遊技板にねじ止めする取付け方法が採用される。
【発明の概要】
【発明が解決しようとする課題】
【０００８】
ところで、従来の遊技盤ユニットにおいては、極めて重い裏ユニットを遊技板との間に間隔が形成される状態に保持し、その保持状態を維持してランプや役物機構のアクチュエータ等に接続されたハーネスを裏カバーの背面側に引き出すようにしているため、組立てに非常に手間がかかるという問題があった。
【０００９】
この発明の課題は、組立ての容易な遊技盤ユニットを提供することである。
【課題を解決するための手段】
【００１０】
上記の課題を解決するために、この発明においては、遊技盤と、その遊技盤の背面に取付けられる裏ユニットからなり、前記裏ユニットが、前記遊技盤の背面に着脱自在に取付けられる裏カバーと、その裏カバーに支持された遊技部品を有してなる遊技盤ユニットにおいて、前記裏カバーの一縁部に突出部を設け、前記遊技盤の背面には前記突出部に対向して台座を形成し、その台座に、前記突出部が抜き差し自在とされ、差し込み状態において裏カバーを遊技盤の背面と間隔があく状態に保持するソケット部を設けた構成を採用したのである。
【００１１】
ここで、裏カバーに支持される遊技部品とは、図柄表示装置や制御用基板、ランプ装置、遊技盤裏側の玉通路構造物（裏樋）等の部品をいう。
【００１２】
上記の構成からなる遊技盤ユニットの組立てに際しては、台座に形成されたソケット部に裏カバーの一縁部に設けられた突出部を差し込んで、遊技盤との間に間隔が形成される状態に裏カバーを保持し、その遊技盤と裏カバーの対向部間に形成された空間を利用して遊技盤側に接続されたハーネスを裏カバーを潜らせて、その裏カバーの背面側に引き出すようにする。
【００１３】
上記のように、ソケット部に突出部を差し込むと、裏ユニットは遊技盤との間に間隔があく状態に保持されているため、裏ユニットを人手により支える必要がなくなり、ハーネスを裏カバーの背面側に簡単に引き出すことができる。
【００１４】
ハーネスの引き出し後、裏ユニットの移動により、ソケット部から突出部を引き抜き、その裏カバーを遊技盤の背面に重ねあわせて、その裏カバーを遊技盤にねじ止め等の手段で固定する。
【００１５】
ここで、台座の突出部と対向する面に、その突出部が嵌合可能な嵌合凹部を設け、その嵌合凹部の閉塞端面を遊技盤に裏カバーを固定する際の突出部の位置決め面とすることにより、遊技盤の背面に裏カバーを重ね合わせ、突出部の先端を位置決め面に当接することによって、裏カバーは取付け位置に位置決めされるため、裏カバーの固定作業の容易化を図ることができる。
【００１６】
この発明に係る遊技盤ユニットにおいて、台座に突出部が挿入可能な傾斜状の差込み孔を形成し、その差込み孔をソケット部とすると、上記差込み孔に対する突出部の挿入により、裏カバーは傾斜状に保持されて、裏カバーの突出部の形成部位に対する対向端部と遊技盤との間に極めて広い作業空間が確保されることになるため、裏ユニットの背面側にハーネスを引き出す際の作業性を高めることができる。
【発明の効果】
【００１７】
上記のように、この発明においては、裏カバーの一縁部に形成した突出部を遊技盤の背面に設けた台座のソケット部に差し込むことによって裏カバーを遊技盤との間に間隔があく状態に保持することができるため、遊技盤側に接続されたハーネスを裏カバーの背面側に引き出す際に、非常に重い裏ユニットを保持する必要がなくなり、ハーネスの引き出し作業を容易に行なうことができ、遊技盤ユニットを簡単に組立てることができる。
【図面の簡単な説明】
【００１８】
【図１】この発明に係る遊技盤ユニットの正面図
【図２】図１の一部切欠側面図
【図３】遊技板の背面に裏カバーを当接した状態の背面図
【図４】図１の遊技盤と裏ユニットを示す分解斜視図
【図５】裏ユニットの自立状態を示す側面図
【図６】裏ユニットの突出部を台座に載置した状態の一部切欠側面図
【図７】裏ユニットの突出部をソケット部に差し込んだ状態の一部切欠側面図
【発明を実施するための形態】
【００１９】
以下、この発明の実施の形態を図面に基づいて説明する。図１および図２に示すように、遊技盤ユニット１は、遊技盤１０と、その遊技盤１０の背面に取付けられた裏ユニット３０とからなる。
【００２０】
図１に示すように、遊技盤１０は、遊技板１１を有し、その遊技板１１の表面に取付けられたガイドレール１２の内側が遊技領域１３とされ、その遊技領域１３に、遊技球の落下方向を分散、調整するための多数の釘１４や風車１５、入賞口１６、始動入賞口１７、特別可変入賞装置１８、アウト口１９等の遊技部品が設けられている。
【００２１】
また、遊技板１１には、略中央部に開口２０が形成され、その開口２０の周囲に装飾体２１や、大当たりの前兆演出を行なう役物装置２２が設けられている。ここで、装飾体２１は、その背部に設けられた発光ダイオードからなる複数のランプ２３によって照明されるようになっている。
【００２２】
役物装置２２は、図では詳細を省略したが、モータ等のアクチュエータ２４を駆動源として演出部材２５を上下方向に移動させるようにしたものが示されている。そのアクチュエータ２４や前記の装飾体照明用のランプ２３に対する給電は遊技板１１の背面に接続されるハーネスによって行なわれる。図５は、ランプ２３に対する給電用のハーネス２６を示し、アクチュエータ２４に対する給電用のハーネスは図示省略している。
【００２３】
図２乃至４に示すように、裏ユニット３０は、裏カバー３１を有し、その裏カバー３１には、角形の窓３２が形成され、その窓３２は遊技板１１の開口２０と前後で対向している。
【００２４】
裏カバー３１の内部には、図では省略したが、遊技盤１０の入賞口１６、始動入賞口１７、特別可変入賞装置１８に入賞した遊技球やアウト口１９に入った遊技球を目的部位に誘導する誘導樋が組込まれている。
【００２５】
裏カバー３１の背面には、窓３２の両側部に上下方向に長く延びるリブ３３が設けられている。リブ３３は、上下両端部に突軸３４を有し、その突軸３４にねじ込まれるねじの締付けによって液晶表示装置からなる遊技部品としての図柄表示装置３５が固定されている。
【００２６】
図柄形成装置３５は裏カバー３１に形成された窓３２を覆い、その前側の表示画面は遊技板１１に形成された開口２０および窓３２から視認し得るようになっている。
【００２７】
ここで、図柄表示装置３５は、始動入賞口１７に遊技球が入賞すると、表示画面に図柄の変動表示を所定時間行なわせるようになっている。そして、表示画面に複数の特別図柄が特定の停止表示態様で停止表示すると、大当たり遊技状態として、図１に示す特別可変入賞装置１８の入口を塞いでいた扉１８ａが予め定められた作動条件に従って開閉するようになっている。
【００２８】
図柄表示装置３５の背面には、遊技部品としての制御用基板３６がねじ止めによる手段により取り付けられている。図柄表示装置３５に取付けられる制御用基板３６としては、図柄表示装置３５の図柄を変動表示させる図柄制御用基板、その図柄制御用基板に制御信号を出力する副制御基板、サウンドの出力を制御するサウンド制御用基板等であり、図２では、そのうちの一つの制御用基板のみを示している。
【００２９】
一方、裏カバー３１の背面には、ランプ２３の点滅を制御するランプ制御用基板、役物装置２２のアクチュエータ２４を制御する役物制御用基板等の制御用基板３７が取付けられている。
【００３０】
ここで、図柄表示装置３５に取付けられた制御用基板３６は基板ケース３６ａによって保護され、一方、裏カバー３１の背面に取付けられた制御用基板３７も基板ケース３７ａにより保護されている。
【００３１】
図４に示すように、遊技板１１の背面外周部には複数のねじ孔２７が形成されている。一方、裏カバー３１の外周面における前側部には、上記ねじ孔２７に対応して連結片３８が設けられ、各連結片３８に上記ねじ孔２７に対向してねじ挿入孔３９が形成されている。
【００３２】
裏カバー３１の起立状態での下面には左右一対の突出部４０、４０が設けられ、一方、遊技板１１の背面下部には、上記突出部４０と対応する位置に台座４１、４１が設けられている。
【００３３】
図６に示すように、台座４１の突出部４０に対する対向面には、上記突出部４０が嵌合可能な嵌合凹部４２が設けられ、その嵌合凹部４２の閉塞端面は突出部４０の位置決め面４３とされ、その位置決め面４３に突出部４０の先端を当接し、遊技板１１の背面に裏ユニット３０を重ね合わせると、複数の連結片３８のそれぞれに形成されたねじ挿入孔３９が遊技板１１に設けられたねじ孔２７と一致するようになっている。
【００３４】
また、台座４１の位置決め面４３には、ソケット部としての傾斜状の差込み孔４４が形成され、その差込み孔４４に対して突出部４０が抜き差し自在とされている。そして、遊技盤１０を起立させた状態で、上記差込み孔４４に突出部４０を差し込むと、図５に示すように、裏ユニット３０の裏カバー３１は、上部が後方に倒れる傾斜状に自立保持されるようになっている。また、遊技盤１０を、その前面が下を向く寝かせた状態で、差込み孔４４に突出部４０を差し込むことにより、裏ユニット３０の裏カバー３１は傾斜状に自立保持されるようになっている。
【００３５】
実施の形態で示す遊技盤ユニット１は上記の構造からなり、その遊技盤ユニット１の組立てに際しては、例えば、遊技盤１０が起立保持される状態において、図７に示すように、台座４１に形成された差込み孔４４に裏カバー３１の下面に設けられた突出部４０を差し込むようにする。
【００３６】
上記のように、差込み孔４４に突出部４０を差し込むと、図５に示すように、裏カバー３１は、上部が後方に倒れる傾斜状の自立状態となり、遊技板１１と裏カバー３１の上部間に極めて広い空間が形成されることになる。
【００３７】
そこで、上記空間を利用して、遊技板１１の背面に接続されたハーネス２６を裏カバー３１を潜らせて、その裏カバー３１の背面側に引き出すようにする。このとき、遊技盤１０は自立状態にあるため、裏ユニット３０を人手により支える必要がなく、ハーネス２６を裏カバー３１の背面側に簡単に引き出すことができる。
【００３８】
ハーネス２６の引き出し後、裏ユニット３０を持ち上げ、差込み孔４４から突出部４０を引き抜いた後、図６に示すように、その突出部４０を台座４１の位置決め面４３上に載置して、台座４１で裏ユニット３０を支持し、その支持状態を保持して裏カバー３１を遊技板１１の背面に衝合する。
【００３９】
ここで、位置決め面４３上に突出部４０を載置する裏ユニット３０の支持状態では、複数の連結片３８のそれぞれに形成されたねじ挿入孔３９が遊技板１１に設けられたねじ孔２７と対向する状態に裏ユニット３０が位置決め保持されるため、裏カバー３１を遊技板１１の背面に衝合すると、ねじ挿入孔３９がねじ孔２７に一致する。その一致するねじ挿入孔３９にねじを挿入してねじ孔２７にねじ込むことにより、遊技板１１に裏カバー３１を固定することができ、遊技盤ユニット１の組立てが完了する。
【００４０】
上記のような遊技盤ユニット１の組立において、突出部４０を台座４１の差込み孔４４に差し込むことによって、裏カバー３１は傾斜状に自立するため、遊技板１１に接続されたハーネス２６を裏カバー３１の背面側に引き出す際に非常に重い裏ユニット３０を保持する必要がなくなり、ハーネス２６の引き出し作業を簡単に行なうことができる。
【００４１】
また、台座４１の位置決め面４３によって遊技板１１の背面に重なる状態に裏カバー３１を支持することができるため、裏カバー３１をねじ止めする固定に際して、裏ユニット３０が倒れない程度に、その裏ユニット３０に手を添えるだけでよい。このため、裏カバー３１を遊技板１１に簡単に固定することができ、遊技盤ユニット１を極めて容易に組立てることができる。
【００４２】
なお、実施の形態においては、遊技盤１０を起立させた状態において裏ユニット３０を取付けるようにしたが、遊技盤１０の背面を上向きとして遊技盤１０を寝かせた状態、すなわち、図５に示す遊技盤１０の左側面が下向きとなる遊技盤１０の水平状の伏倒状態で裏ユニット３０の取付けを行なうようにしてもよい。
【符号の説明】
【００４３】
１０・・・遊技盤、３０・・・裏ユニット、３１・・・裏カバー、３５・・・図柄表示装置、３６・・・制御用基板、４０・・・突出部、４１・・・台座、４２・・・嵌合凹部、４３・・・位置決め面、４４・・・差込み孔（ソケット部）
【図１】
2010240018.tif 000003
【図２】
2010240018.tif 000004
【図３】
2010240018.tif 000005
【図４】
2010240018.tif 000006
【図５】
2010240018.tif 000007
【図６】
2010240018.tif 000008
【図７】
2010240018.tif 000009